(57)【特許請求の範囲】
【請求項１】
外部ストレージが接続されたネットワーク内に設けられて無線接続を許可する無線アクセスポイントと、無線接続を確立する無線通信部を有する無線端末であって、
前記外部ストレージに対するデータのアップロード又は前記外部ストレージからデータのダウンロードを行う制御部を備え、
前記制御部は、前記無線接続を許可する無線アクセスポイントを介して、前記アップロード又は前記ダウンロードを行う相手装置として、前記外部ストレージを登録する登録手順を制御すると共に、前記登録手順にしたがって前記外部ストレージを登録し、
前記登録手順では、前記無線端末は、前記無線アクセスポイントを介して前記外部ストレージの登録要求を前記外部ストレージに送信し、前記登録要求を受信した前記外部ストレージから、前記無線アクセスポイントを介して送信された登録応答を受信し、
前記無線端末は、前記登録応答を受信すると、前記外部ストレージを登録する手順で用いる無線アクセスポイントを、限定された無線アクセスポイントとして登録し、
前記制御部は、前記無線接続を許可する無線アクセスポイントのうち、前記限定された無線アクセスポイント以外の前記無線アクセスポイントと無線接続が確立されても、前記アップロード又は前記ダウンロードを行わずに、前記限定された無線アクセスポイントと無線接続が確立されると、前記限定された無線アクセスポイントを介して前記アップロード又は前記ダウンロードを行う、
ことを特徴とする無線端末。
【請求項２】
前記無線端末を駆動する電力を蓄積するバッテリをさらに備え、
前記制御部は、前記バッテリに蓄積された電力が所定閾値以上である場合に、前記アップロード又は前記ダウンロードを行うことを特徴とする請求項１に記載の無線端末。
【請求項３】
前記制御部は、前記無線端末がＡＣ電源に接続されている状態であれば、前記バッテリに蓄積された電力に関係なく、前記アップロード又は前記ダウンロードを行うことを特徴とする請求項２に記載の無線端末。
【請求項４】
前記制御部は、前記限定された無線アクセスポイントと確立された無線接続が切断された場合に、前記アップロード又は前記ダウンロードを中止することを特徴とする請求項１に記載の無線端末。
【請求項５】
外部ストレージが接続されたネットワーク内に設けられて無線接続を許可する無線アクセスポイントと、無線接続を確立する無線通信部を有する無線端末に適用されるプログラムであって、コンピュータに、
前記無線接続を許可する無線アクセスポイントを介して、データのアップロード又はデータのダウンロードを行う相手装置として、前記外部ストレージを登録する登録手順を制御すると共に、前記登録手順にしたがって前記外部ストレージを登録するステップと、
前記登録手順では、前記無線端末が、前記無線アクセスポイントを介して前記外部ストレージの登録要求を前記外部ストレージに送信し、前記登録要求を受信した前記外部ストレージから、前記無線アクセスポイントを介して送信された登録応答を受信するステップと、
前記無線端末が、前記登録応答を受信すると、前記外部ストレージを登録する手順で用いる無線アクセスポイントを、限定された無線アクセスポイントとして登録するステップと、
前記無線接続を許可する無線アクセスポイントのうち、前記限定された無線アクセスポイント以外の前記無線アクセスポイントと無線接続が確立されても、前記外部ストレージに対するデータのアップロード又は前記外部ストレージからデータのダウンロードを行わずに、前記限定された無線アクセスポイントと無線接続が確立されると、前記限定された無線アクセスポイントを介して前記外部ストレージに対するデータのアップロード又は前記外部ストレージからデータのダウンロードを行うステップとを実行させることを特徴とするプログラム。
【発明の詳細な説明】
【技術分野】
【０００１】
本発明は、無線接続を許可する無線アクセスポイントと無線接続を確立する無線通信部を備える無線端末及びプログラムに関する。
【背景技術】
【０００２】
従来、移動体通信網に設けられる無線基地局と無線接続を確立する機能を有する無線端末（携帯電話やデジタルカメラなど）が知られている。移動体通信網では、例えば、ＨＳＤＰＡ（Ｈｉｇｈ  Ｓｐｅｅｅｄ  Ｄｏｗｏｎｌｉｎｋ  Ｐａｃｋｅｔ  Ａｃｃｅｓｓ）、ＨＳＵＰＡ（Ｈｉｇｈ  Ｓｐｅｅｅｄ  Ｕｐｌｉｎｋ  Ｐａｃｋｅｔ  Ａｃｃｅｓｓ）、ＬＴＥ（Ｌｏｎｇ  Ｔｅｒｍ  Ｅｖｏｌｕｔｉｏｎ）などの技術が用いられる。
【０００３】
近年では、このような無線端末として、無線ＬＡＮを構成する無線アクセスポイントと無線接続を確立する機能を併せ持つ無線端末も知られている。無線ＬＡＮでは、ＩＥＥＥ８０２．１１ａ、ｂ、ｇ、ｎなどの技術が用いられる。
【０００４】
さらに、無線ＬＡＮなどのネットワークに接続された外部ストレージに無線端末からデータを格納する技術も知られている（例えば、特許文献１、２）。
【０００５】
このようなケースにおいて、無線端末は、例えば、移動体通信網に設けられる無線基地局に接続された状態で、移動体通信網（無線基地局）及び公衆ネットワークを介して、外部ストレージに対してデータをアップロードする機能を有する。或いは、無線端末は、外部ストレージが接続された無線ＬＡＮ（以下、ホーム無線ＬＡＮ）を構成する無線アクセスポイントに接続された状態で、ホーム無線ＬＡＮ（無線アクセスポイント）を介して、外部ストレージに対してデータをアップロードする機能を有する。或いは、無線端末は、ホーム無線ＬＡＮ以外の無線ＬＡＮ（外部無線ＬＡＮ）を構成する無線アクセスポイントに接続された状態で、外部無線ＬＡＮ（無線アクセスポイント）及び公衆ネットワークを介して、外部ストレージに対してデータをアップロードする機能を有する。
【先行技術文献】
【特許文献】
【０００６】
【特許文献１】米国特許第７，７０２，８２１号明細書
【特許文献２】国際公開第２００７／０３５２７５号明細書
【発明の概要】
【発明が解決しようとする課題】
【０００７】
しかしながら、無線端末の電源としてバッテリが用いられることも多く、データのアップロードの頻発によって、バッテリに蓄積される電力の消費量が増大し、無線端末の駆動時間が短縮してしまうことが考えられる。
【０００８】
例えば、移動体通信網のサービスカバーエリアは非常に広範囲に亘っているため、外部ストレージに対するデータのアップロードを自動的に行うように設定されている場合には、アップロードすべきデータが生じる度に、データのアップロードが実行されてしまう。
【０００９】
或いは、外部ストレージに対するデータのアップロードを自動的に行うように設定されている場合には、無線接続を許可する無線アクセスポイントに無線端末が接続される度に、データのアップロードが実行されてしまう。
【００１０】
一方で、外部ストレージに対するデータのアップロードを自動的に行うように設定されていない場合には、無線基地局或いは無線アクセスポイントと接続可能な状態において、外部ストレージに対するデータのアップロードを手動で実行する必要があり、ユーザの利便性が損なわれてしまう。
【００１１】
そこで、本発明は、上述した課題を解決するためになされたものであり、ユーザの利便性を損なわずに、バッテリに蓄積された電力の消費を抑制することを可能とする無線端末及びプログラムを提供することを目的とする。
【課題を解決するための手段】
【００１２】
第１の特徴に係る無線端末は、外部ストレージが接続されたネットワーク内に設けられて無線接続を許可する無線アクセスポイントと、無線接続を確立する無線通信部を備える。前記無線端末は、前記外部ストレージに対するデータのアップロード又は前記外部ストレージからデータのダウンロードを行う制御部を備える。前記制御部は、前記無線接続を許可する無線アクセスポイントを介して、前記アップロード又は前記ダウンロードを行う相手装置として、前記外部ストレージを登録する登録手順を制御すると共に、前記登録手順にしたがって前記外部ストレージを登録する。前記登録手順では、前記無線端末は、前記無線アクセスポイントを介して前記外部ストレージの登録要求を前記外部ストレージに送信し、前記登録要求を受信した前記外部ストレージから、前記無線アクセスポイントを介して送信された登録応答を受信する。前記無線端末は、前記登録応答を受信すると、前記外部ストレージを登録する手順で用いる無線アクセスポイントを、限定された無線アクセスポイントとして登録する。前記制御部は、前記無線接続を許可する無線アクセスポイントのうち、前記限定された無線アクセスポイント以外の前記無線アクセスポイントと無線接続が確立されても、前記アップロード又は前記ダウンロードを行わずに、前記限定された無線アクセスポイントと無線接続が確立されると、前記限定された無線アクセスポイントを介して前記アップロード又は前記ダウンロードを行う。
【００１３】
第１の特徴において、前記限定された無線アクセスポイントは、前記外部ストレージが接続するネットワーク内に設けられる無線アクセスポイントである。
【００１５】
第１の特徴において、前記無線端末は、前記無線端末を駆動する電力を蓄積するバッテリをさらに備える。前記制御部は、前記バッテリに蓄積された電力が所定閾値以上である場合に、前記アップロード又はダウンロードを行う。
前記制御部は、前記無線端末がＡＣ電源に接続されている状態であれば、前記バッテリに蓄積された電力に関係なく、前記アップロード又はダウンロードを行う。
【００１６】
第１の特徴において、前記制御部は、前記限定された無線アクセスポイントと確立された無線接続が切断された場合に、前記アップロード又は前記ダウンロードを中止する。
【００１７】
第１の特徴において、プログラムは、外部ストレージが接続されたネットワーク内に設けられて無線接続を許可する無線アクセスポイントと、無線接続を確立する無線通信部を有する無線端末に適用される。前記プログラムは、コンピュータに、前記無線接続を許可する無線アクセスポイントを介して、データのアップロード又はデータのダウンロードを行う相手装置として、前記外部ストレージを登録する登録手順を制御すると共に、前記登録手順にしたがって前記外部ストレージを登録するステップと、前記登録手順では、前記無線端末が、前記無線アクセスポイントを介して前記外部ストレージの登録要求を前記外部ストレージに送信し、前記登録要求を受信した前記外部ストレージから、前記無線アクセスポイントを介して送信された登録応答を受信するステップと、前記無線端末が、前記登録応答を受信すると、前記外部ストレージを登録する手順で用いる前記無線アクセスポイントを、限定された無線アクセスポイントとして登録するステップと、前記無線接続を許可する無線アクセスポイントのうち、前記限定された無線アクセスポイント以外の前記無線アクセスポイントと無線接続が確立されても、前記外部ストレージに対するデータのアップロード又は前記外部ストレージからデータのダウンロードを行わずに、前記限定された無線アクセスポイントと無線接続が確立されると、前記限定された無線アクセスポイントを介して前記外部ストレージに対するデータのアップロード又は前記外部ストレージからデータのダウンロードを行うステップとを実行させる。
【発明の効果】
【００１８】
本発明によれば、ユーザの利便性を損なわずに、バッテリに蓄積された電力の消費を抑制することを可能とする無線端末及びプログラムを提供することができる。
【図面の簡単な説明】
【００１９】
【図１】図１は、第１実施形態に係る通信システムを示す図である。
【図２】図２は、第１実施形態に係る無線端末１０を示すブロック図である。
【図３】図３は、第１実施形態に係る無線端末１０の動作を示すシーケンス図である。
【図４】図４は、第１実施形態に係る無線端末１０の動作を示すフロー図である。
【図５】図５は、第１実施形態に係る無線端末１０の動作を示すフロー図である。
【図６】図６は、第１実施形態に係る無線端末１０の動作を示すフロー図である。
【発明を実施するための形態】
【００２０】
以下において、本発明の実施形態に係る無線端末について、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
実施形態に係る無線端末は、無線接続を許可する無線アクセスポイントと無線接続を確立する無線通信部を備える。前記無線端末は、外部ストレージに対するデータのアップロード又は前記外部ストレージからデータのダウンロードを行う制御部を備える。前記制御部は、前記無線接続を許可する無線アクセスポイントのうち、限定された無線アクセスポイント以外の無線アクセスポイントと無線接続が確立されても、前記アップロード又は前記ダウンロードを行わずに、前記限定された無線アクセスポイントと無線接続が確立されると、前記限定された無線アクセスポイントを介して前記アップロード又は前記ダウンロードを行う。
【００２３】
実施形態では、制御部は、無線接続を許可する無線アクセスポイントのうち、限定された無線アクセスポイントと無線接続が確立された場合にのみ、限定された無線アクセスポイントを介してアップロード又はダウンロードを行う。従って、バッテリに蓄積された電力の消費を抑制することができる。また、限定された無線アクセスポイントを適切に登録することによって、ユーザの利便性が損なわれることもない。
【００２４】
特に、無線端末が移動体通信網及び無線ＬＡＮに接続する機能を有するスマートフォンであり、スマートフォンに格納されたデータを外部ストレージにバックアップするケースおいて、本実施形態は有効である。このようなケースでは、１日の中で頻繁にデータのバックアップを行う必要性が低いため、限定された無線アクセスポイントとして、自宅や職場などに設けられた無線アクセスポイントを用いることによって、ユーザの利便性を損なわずに、バッテリに蓄積された電力の消費を抑制することができる。
【００２５】
［第１実施形態］
（通信システム）
以下において、第１実施形態に係る通信システムについて説明する。図１は、第１実施形態に係る通信システムを示す図である。
【００２６】
図１に示すように、通信システムは、無線端末１０と、無線アクセスポイント２０と、無線基地局３０と、外部ストレージ４０と、ホームネットワーク５０と、広域通信網６０とを有する。
【００２７】
無線端末１０は、例えば、スマートフォンなどの携帯電話やデジタルカメラなどである。無線端末１０は、無線アクセスポイント２０と無線接続を確立する機能を有する。なお、無線端末１０の詳細については後述する（図２を参照）。
【００２８】
ここで、無線端末１０は、無線端末１０の無線接続を許可する無線アクセスポイント２０とのみ無線接続を確立することが可能である。ここで、無線アクセスポイント２０と無線接続を確立するためには、各種設定情報（ＳＳＩＤ（Ｓｅｒｖｉｃｅ  Ｓｅｔ  Ｉｄｅｎｔｉｆｉｅｒ）、セキュリティ種別、セキュリティキー、認証情報などの情報）が必要である。無線アクセスポイント２０は、セキュリティが設定されている場合には、セキュリティ種別やセキュリティキーが設定された無線端末１０の無線接続を許可する。また、無線アクセスポイント２０は、認証情報が必要とされる場合には、正しい認証情報の入力がなされた無線端末１０の無線接続を許可する。
【００２９】
なお、無線端末１０は、無線端末１０の無線接続を許可していない無線アクセスポイント２０から出力される電波を検出することは可能である。しかしながら、無線端末１０は、無線端末１０の無線接続を許可していない無線アクセスポイント２０と無線接続を確立することはできないことに留意すべきである。
【００３０】
また、無線端末１０は、移動体通信網に設けられる無線基地局３０と無線接続を確立する機能を有していてもよい。一般的に、移動体通信網のサービスカバーエリアは無線ＬＡＮのサービスカバーエリアよりも広く、無線アクセスポイント２０と無線接続を確立できない場合に、無線端末１０は、無線基地局３０と無線接続を確立することに留意すべきである。
【００３１】
無線アクセスポイント２０は、例えば、無線ＬＡＮを構成するアクセスポイントである。無線アクセスポイント２０は、無線アクセスポイント２０から出力される電波が到達する範囲であるカバーエリアを有する。無線アクセスポイント２０は、カバーエリア内に位置する無線端末１０と無線接続を確立する機能を有する。第１実施形態では、無線アクセスポイント２０として、無線アクセスポイント２０Ａ、無線アクセスポイント２０Ｂ、無線アクセスポイント２０Ｃが設けられている。
【００３２】
第１実施形態では、無線アクセスポイント２０Ａは、自宅などの宅内無線ＬＡＮを構成しており、ルータ機能も有し、広域通信網６０に接続されている。無線アクセスポイント２０Ｂ及び無線アクセスポイント２０Ｃは、宅内無線ＬＡＮ以外の無線ＬＡＮ（例えば、公衆無線ＬＡＮ）を構成しており、広域通信網６０に接続されている。
【００３３】
例えば、無線アクセスポイント２０Ａ及び無線アクセスポイント２０Ｂは、無線端末１０の無線接続が許可されている無線アクセスポイント２０である。一方で、無線アクセスポイント２０Ｃは、無線端末１０の無線接続が許可されていない無線アクセスポイント２０である。
【００３４】
例えば、無線アクセスポイント２０Ａは、セキュリティが設定された無線アクセスポイント２０であり、無線アクセスポイント２０Ｂは、セキュリティや認証情報が必要とされない無線アクセスポイント２０であってもよい。
【００３５】
無線基地局３０は、無線基地局３０から出力される電波が到達する範囲であるカバーエリア３１を有する。無線基地局３０は、カバーエリア３１内に位置する無線端末１０と無線接続を確立する機能を有する。
【００３６】
外部ストレージ４０は、例えば、ＮＡＳ（Ｎｅｔｗｏｒｋ  Ａｔｔａｃｈｅｄ  Ｓｔｏｒａｇｅ）、パーソナルコンピュータ、ウェブサーバなどである。第１実施形態では、外部ストレージ４０は、ネットワークケーブルを介して無線アクセスポイント２０Ａの有線ポートに接続されている。無線アクセスポイント２０Ａの構成する無線ＬＡＮと有線ＬＡＮによりホームネットワーク５０が構成されている。すなわち、無線端末１０は、無線アクセスポイント２０Ａを介してホームネットワーク５０にアクセス可能である。
【００３７】
ホームネットワーク５０は、例えば、自宅に設けられるネットワークや職場に設けられるネットワークなどである。ホームネットワーク５０は、宅内無線ＬＡＮを構成する無線アクセスポイント２０（第１実施形態では、無線アクセスポイント２０Ａ）によって構成される。
【００３８】
広域通信網６０は、例えば、ＴＣＰ／ＩＰなどのプロトコルが適用されるインターネット網である。広域通信網６０には、様々なウェブサーバが接続される。
【００３９】
（無線端末）
以下において、第1実施形態に係る無線端末について説明する。図２は、第１実施形態に係る無線端末１０を示すブロック図である。
【００４０】
図２に示すように、無線端末１０は、無線通信部１１と、格納部１２と、バッテリ１３と、制御部１４とを有する。
【００４１】
無線通信部１１は、アンテナや無線モジュールを有する。無線通信部１１は、無線アクセスポイント２０から出力される電波を検出し、無線端末１０の無線接続を許可する無線アクセスポイント２０と無線接続を確立する。なお、無線通信部１１は、無線基地局３０から出力される電波を検出し、無線基地局３０と無線接続を確立する機能を有していてもよい。
【００４２】
格納部１２は、無線端末１０を制御するためのデータ（プログラムやアプリケーションなど）、文書や写真などのユーザデータなどを格納する。
【００４３】
バッテリ１３は、無線端末１０に電力を供給する電池パックなどである。詳細には、バッテリ１３は、無線通信部１１、格納部１２及び制御部１４に電力を供給する。
【００４４】
制御部１４は、無線端末１０を制御する。例えば、制御部１４は、ウェブ閲覧、メール取得、データのアップロード、データのダウンロードなどの機能を制御する。
【００４５】
第１実施形態では、制御部１４は、無線端末１０の無線接続を許可する無線アクセスポイント２０を介して、アップロード又はダウンロードを行う相手装置として外部ストレージ４０を登録する手順を制御する。
【００４６】
例えば、外部ストレージ４０の登録手順においては、アップロードすべきデータを格納するアドレスとして、格納部１２のフォルダが登録され、データをアップロードすべきアドレスとして、外部ストレージ４０のフォルダが登録される。同様に、ダウンロードすべきデータを格納するアドレスとして、外部ストレージ４０のフォルダが登録され、データをダウンロードすべきアドレスとして、格納部１２のフォルダが登録される。
【００４７】
制御部１４は、格納部１２に格納されたデータを、登録された外部ストレージ４０に対してアップロードする。或いは、制御部１４は、登録された外部ストレージ４０に格納されたデータを格納部１２にダウンロードする。
【００４８】
詳細には、制御部１４は、無線端末１０の無線接続を許可する無線アクセスポイント２０のうち、限定された無線アクセスポイント２０と無線接続が確立されると、外部ストレージ４０に対するデータのアップロード又は外部ストレージ４０からデータのダウンロードを自動的に行う。一方で、制御部１４は、無線端末１０の無線接続を許可する無線アクセスポイント２０のうち、限定された無線アクセスポイント２０以外の無線アクセスポイント２０と無線接続が確立されても、外部ストレージ４０に対するデータのアップロード又は外部ストレージ４０からデータのダウンロードを自動的に行わない。
【００４９】
ここで、限定された無線アクセスポイント２０は、無線端末１０の無線接続を許可する無線アクセスポイント２０の一部であることに留意すべきである。第１実施形態では、例えば、無線アクセスポイント２０Ａ、無線アクセスポイント２０Ｂ及び無線アクセスポイント２０Ｃのうち、限定された無線アクセスポイント２０は、無線アクセスポイント２０Ａである。
【００５０】
なお、制御部１４は、無線端末１０の無線接続を許可する無線アクセスポイント２０と無線接続が確立された場合に、ウェブ閲覧やメール取得などの機能を提供することが可能であることは勿論である。
【００５１】
また、制御部１４は、無線端末１０の無線接続を許可する無線アクセスポイント２０以外の無線アクセスポイント２０と無線接続が確立されたケースであっても、アップロード及びダウンロードがユーザから手動で指示された場合には、外部ストレージ４０に対するデータのアップロード又は外部ストレージ４０からデータのダウンロードを行ってもよい。
【００５２】
ここで、無線端末１０が無線基地局３０と無線接続を確立する機能を有する場合において、制御部１４は、無線基地局３０と無線通信が確立された場合に、外部ストレージ４０に対するデータのアップロード又は外部ストレージ４０からデータのダウンロードを自動的に行わないことが好ましい。但し、制御部１４は、無線基地局３０と無線通信が確立された場合であっても、アップロード及びダウンロードがユーザから手動で指示された場合には、外部ストレージ４０に対するデータのアップロード又は外部ストレージ４０からデータのダウンロードを自動的に行ってもよい。
【００５３】
第１実施形態において、限定された無線アクセスポイント２０は、外部ストレージ４０が接続するホームネットワーク５０内に設けられる無線アクセスポイント２０であることが好ましい。例えば、図１に示すケースでは、限定された無線アクセスポイント２０は、無線アクセスポイント２０Ａであることが好ましい。
【００５４】
第１実施形態において、限定された無線アクセスポイント２０は、外部ストレージ４０を登録する手順で用いる無線アクセスポイント２０であることが好ましい。例えば、図１に示すケースにおいて、外部ストレージ４０を登録する手順で無線アクセスポイント２０Ａを用いた場合には、限定された無線アクセスポイント２０は、無線アクセスポイント２０Ａであることが好ましい。このようなケースでは、無線アクセスポイント２０Ｂと無線接続が確立されても、外部ストレージ４０に対するデータのアップロード又は外部ストレージ４０からデータのダウンロードが自動的に行われないことに留意すべきである。
【００５５】
制御部１４は、バッテリ１３に蓄積された電力が所定閾値以上である場合に、限定された無線アクセスポイント２０を介して、アップロード又はダウンロードを行うことが好ましい。言い換えると、制御部１４は、限定された無線アクセスポイント２０と無線接続が確立されても、バッテリ１３に蓄積された電力が所定閾値未満である場合に、アップロード又はダウンロードを制限することが好ましい。
【００５６】
制御部１４は、限定された無線アクセスポイント２０と確立された無線接続が切断された場合に、アップロード又はダウンロードを中止することが好ましい。例えば、図１に示すケースにおいて、限定された無線アクセスポイント２０が無線アクセスポイント２０Ａである場合には、無線端末１０がホームネットワークを離れ、無線アクセスポイント２０Ａと無線接続が確立された状態から抜けた場合に、アップロード又はダウンロードが中止される。また、無線アクセスポイント２０Ａと無線接続が確立された状態から無線基地局３０と無線接続が確立された状態に遷移した場合に、アップロード又はダウンロードが中止される。
【００５７】
（無線端末の動作）
以下において、第1実施形態に係る無線端末の動作について説明する。図３は、第１実施形態に係る無線端末１０の動作を示すシーケンス図である。図４〜図６は、第１実施形態に係る無線端末１０の動作を示すフロー図である。
【００５８】
以下においては、限定された無線アクセスポイント２０が、外部ストレージ４０を登録する手順で用いる無線アクセスポイント２０であるケースについて例示することに留意すべきである。
【００５９】
（登録手順）
第１に、外部ストレージ４０の登録手順（セットアップ手順）について、図３を参照しながら説明する。
【００６０】
図３に示すように、ステップ１０において、無線端末１０と無線アクセスポイント２０との間で無線接続が確立する。
【００６１】
ステップ１１において、無線端末１０は、外部ストレージ４０の登録要求を外部ストレージ４０に送信する。例えば、登録要求は、アップロードすべきデータを格納するアドレス（格納部１２のフォルダ）、データをアップロードすべきアドレス（外部ストレージ４０のフォルダ）、ダウンロードすべきデータを格納するアドレス（外部ストレージ４０のフォルダ）、データをダウンロードすべきアドレス（格納部１２のフォルダ）などを含む。
【００６２】
ステップ１２において、外部ストレージ４０は、外部ストレージ４０の登録応答を無線端末１０に送信する。
【００６３】
ステップ１３において、無線端末１０は、外部ストレージ４０の登録手順を完了する。ここで、無線端末１０は、限定された無線アクセスポイント２０として、外部ストレージ４０を登録する手順で用いる無線アクセスポイント２０を登録する。例えば、無線端末１０は、外部ストレージ４０を登録する手順で用いる無線アクセスポイント２０の識別子（例えば、ＳＳＩＤ）を格納する。
【００６４】
（アップロード／ダウンロードの開始手順１）
第２に、アップロード／ダウンロードの開始手順１について、図４を参照しながら説明する。
【００６５】
図４に示すように、ステップ２０において、無線端末１０は、無線アクセスポイント２０と無線接続を確立する。
【００６６】
ステップ２１において、無線端末１０は、無線接続が確立された無線アクセスポイント２０が限定された無線アクセスポイント２０であるか否かを判定する。無線端末１０は、無線接続が確立された無線アクセスポイント２０が限定された無線アクセスポイント２０である場合には、ステップ２２の処理に移る。無線端末１０は、無線接続が確立された無線アクセスポイント２０が限定された無線アクセスポイント２０でない場合には、一連の処理を終了する。
【００６７】
ステップ２２において、無線端末１０は、登録された外部ストレージ４０に対するデータのアップロードを開始する。或いは、無線端末１０は、登録された外部ストレージ４０からデータのダウンロードを開始する。
【００６８】
なお、無線端末１０は、無線接続が確立された無線アクセスポイント２０が限定された無線アクセスポイント２０であるか否かにかかわらずに、ウェブ閲覧やメール取得などを行うことが可能であることは勿論である。
【００６９】
（アップロード／ダウンロードの開始手順２）
第３に、アップロード／ダウンロードの開始手順３について、図５を参照しながら説明する。
【００７０】
図５に示すように、ステップ３０において、無線端末１０は、無線アクセスポイント２０と無線接続を確立する。
【００７１】
ステップ３１において、無線端末１０は、無線接続が確立された無線アクセスポイント２０が限定された無線アクセスポイント２０であるか否かを判定する。無線端末１０は、無線接続が確立された無線アクセスポイント２０が限定された無線アクセスポイント２０である場合には、ステップ３２の処理に移る。無線端末１０は、無線接続が確立された無線アクセスポイント２０が限定された無線アクセスポイント２０でない場合には、一連の処理を終了する。
【００７２】
ステップ３２において、無線端末１０は、バッテリ１３に蓄積された電力が所定閾値以上であるか否かを判定する。無線端末１０は、バッテリ１３に蓄積された電力が所定閾値以上である場合に、ステップ３３の処理に移る。一方で、無線端末１０は、バッテリ１３に蓄積された電力が所定閾値未満である場合に、一連の処理を終了する。
【００７３】
ステップ３３において、無線端末１０は、登録された外部ストレージ４０に対するデータのアップロードを開始する。或いは、無線端末１０は、登録された外部ストレージ４０からデータのダウンロードを開始する。
【００７４】
なお、無線端末１０は、無線接続が確立された無線アクセスポイント２０が限定された無線アクセスポイント２０であるか否かにかかわらずに、ウェブ閲覧やメール取得などを行うことが可能であることは勿論である。
【００７５】
（アップロード／ダウンロードの中止手順）
第４に、アップロード／ダウンロードの中止手順について、図６を参照しながら説明する。図６では、限定された無線アクセスポイント２０と無線端末１０との間で無線接続が確立していることを前提としていることに留意すべきである。
【００７６】
図６に示すように、ステップ４０において、無線端末１０は、登録された外部ストレージ４０に対するデータのアップロードを行っている。或いは、無線端末１０は、登録された外部ストレージ４０からデータのダウンロードを行っている。
【００７７】
ステップ４１において、限定された無線アクセスポイント２０と確立された無線接続が切断される。
【００７８】
ステップ４２において、無線端末１０は、登録された外部ストレージ４０に対するデータのアップロードを中止する。或いは、無線端末１０は、登録された外部ストレージ４０からデータのダウンロードを中止する。
【００７９】
例えば、限定された無線アクセスポイント２０のカバーエリアから無線端末１０が離れた場合に、アップロード又はダウンロードが中止される。また、限定された無線アクセスポイント２０と無線接続が確立された状態から無線基地局３０と無線接続が確立された状態に遷移した場合にも、アップロード又はダウンロードが中止される。
【００８０】
（作用及び効果）
第１実施形態では、制御部１４は、無線接続を許可する無線アクセスポイント２０のうち、限定された無線アクセスポイント２０と無線接続が確立された場合にのみ、限定された無線アクセスポイント２０を介してアップロード又はダウンロードを行う。従って、バッテリ１３に蓄積された電力の消費を抑制することができる。また、限定された無線アクセスポイント２０を適切に登録することによって、ユーザの利便性が損なわれることもない。
【００８１】
例えば、無線接続を許可する無線アクセスポイント２０としては、店舗や駅などの施設に設けられる公衆無線ＬＡＮを構成する無線アクセスポイント２０が考えられる。このような無線アクセスポイント２０と無線接続を確立した履歴があれば、無線端末１０は、無線アクセスポイント２０と自動的に無線接続を確立することが考えられる。このように、公衆無線ＬＡＮを構成する無線アクセスポイント２０と無線接続が自動的に確立された場合に、外部ストレージ４０に対するデータのアップロードやダウンロードが自動的に行われると、データのアップロードやダウンロードが頻発してしまう。
【００８２】
また、無線端末１０が移動しているケースでは、公衆無線ＬＡＮを構成する無線アクセスポイント２０から出力される電波の受信状態が不安定である可能性が高い。このように、電波の受信状態が不安定な環境下におけるアップロード又はダウンロードが行われると、バッテリ１３に蓄積される電力が不要に消費されてしまう。
【００８３】
第１実施形態では、上述したように、限定された無線アクセスポイント２０と無線接続が確立された場合にのみ、限定された無線アクセスポイント２０を介してアップロード又はダウンロードが行われるため、ユーザの利便性を損なわずに、バッテリ１３に蓄積された電力の消費を抑制することができる。
【００８４】
第１実施形態では、限定された無線アクセスポイント２０は、外部ストレージ４０が接続するホームネットワーク５０内に設けられる無線アクセスポイント２０であることが好ましい。このようなケースでは、無線アクセスポイント２０の設置場所が自宅や職場であることが想定され、無線端末１０の充電が容易であることが多い。また、無線アクセスポイント２０の電波状態が安定していることが多い。従って、ユーザの利便性が損なわれないように、アップロード又はダウンロードが許容される。
【００８５】
第１実施形態では、限定された無線アクセスポイント２０は、外部ストレージ４０を登録する手順で用いる無線アクセスポイント２０であることが好ましい。外部ストレージ４０を登録する手順で用いる無線アクセスポイント２０の設置場所が自宅や職場であることが想定され、無線端末１０の充電が容易であることが多い。また、無線アクセスポイント２０の電波状態が安定していることが多い。従って、ユーザの利便性が損なわれないように、アップロード又はダウンロードが許容される。
【００８６】
第１実施形態では、バッテリ１３に蓄積された電力が所定閾値以上である場合に、限定された無線アクセスポイント２０を介して、アップロード又はダウンロードを行うことが好ましい。これによって、アップロード又はダウンロードに起因してバッテリ１３に蓄積された電力が減少して、無線端末１０が機能しなくなる事態が抑制される。
【００８７】
第１実施形態では、限定された無線アクセスポイント２０と無線接続が切断された場合に、アップロード又はダウンロードを中止することが好ましい。例えば、限定された無線アクセスポイント２０と無線接続された状態から、限定された無線アクセスポイント２０以外の無線アクセスポイント２０や無線基地局３０と無線接続が確立された状態に遷移しても、アップロード又はダウンロードを中止することが好ましい。これによって、ユーザが意図していない経路でアップロード又はダウンロードが継続されて、バッテリ１３に蓄積される電力が消費されることが抑制される。
【００８８】
ここで、無線端末１０が無線ＬＡＮ（無線アクセスポイント２０）及び移動体通信網（無線基地局３０）の双方と無線接続を確立する機能を有する場合において、外部ストレージ４０に対するデータのアップロード又はダウンロードを自動的に行うときに経由する無線アクセスポイント２０を限定する効果についてさらに説明する。
【００８９】
一般的に、移動体通信網のサービスカバーエリアは、無線ＬＡＮのサービスカバーエリアよりも広いが、移動体通信網の通信速度は、無線ＬＡＮの通信速度よりも低い。言い換えると、移動体通信網では、データのアップロード及びダウンロードが可能なエリアが広いが、データのアップロード及びダウンロードに必要な時間が長い。
【００９０】
これに対して、無線ＬＡＮのサービスカバーエリアは、移動体通信網のサービスカバーエリアよりも狭いが、無線ＬＡＮの通信速度は、移動体通信網の通信速度よりも高い。言い換えると、無線ＬＡＮでは、データのアップロード及びダウンロードが可能なエリアが狭いが、データのアップロード及びダウンロードに必要な時間が短い。
【００９１】
ところで、データのアップロード及びダウンロードについては、１日の中で頻繁に行われる要性が低いことが考えられる。例えば、無線端末１０に記憶されたデータのバックアップ先として外部ストレージ４０を用いるケースである。このような点に着目して、限定された無線アクセスポイントとして、自宅や職場などに設けられた無線アクセスポイントを用いることによって、ユーザの利便性を損なわずに、バッテリに蓄積された電力の消費を抑制することができる。
【００９２】
言い換えると、無線基地局３０を経由するデータのアップロード及びダウンロードの自動化を制限することによって、データのアップロード及びダウンロードの頻発、データのアップロード及びダウンロードに必要な時間の長期化が抑制される。従って、バッテリに蓄積された電力の消費を抑制することができる。
【００９３】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９４】
実施形態では特に触れていないが、外部ストレージ４０を登録する手順で用いる無線アクセスポイント２０は、外部ストレージ４０が接続するホームネットワーク５０内に設けられる無線アクセスポイント２０に限られていてもよい。
【００９５】
実施形態では特に触れていないが、無線端末１０は、限定された無線アクセスポイント２０から出力が所定閾値以上である場合に、アップロード又はダウンロードを行ってもよい。
【００９６】
実施形態では特に触れていないが、無線端末１０は、限定された無線アクセスポイント２０から出力が所定閾値以上である時間が所定時間以上である場合に、アップロード又はダウンロードを行ってもよい。
【００９７】
実施形態では特に触れていないが、無線端末１０は、無線端末１０がAC電源に接続されている状態であれば、バッテリ１３に蓄積された電力に関係なく、アップロード又はダウンロードを行ってもよい。
【００９８】
実施形態では特に触れていないが、無線端末１０は、限定された無線アクセスポイント２０と確立された無線接続が切断された場合に、アップロード又はダウンロードを中止してもよいことは勿論である。
【００９９】
実施形態では、アップロード又はダウンロードについて主として説明したが、実施形態は、データの同期に適用されてもよい。すなわち、無線端末１０は、限定された無線アクセスポイント２０と無線接続が確立された場合にのみ、無線端末１０と外部ストレージ４０との間でデータの同期を行ってもよい。
【０１００】
なお、上述した無線端末１０の動作をコンピュータに実行させるプログラムが提供されてもよい。このようなプログラムは、ＤＶＤ−ＲＯＭやＣＤ−ＲＯＭなどの記憶媒体に記憶された状態で提供されてもよく、インターネット網などのネットワークを介して提供されてもよい。
【符号の説明】
【０１０１】
１０…無線端末、１１…無線通信部、１２…格納部、１３…バッテリ、１４…制御部、２０…無線アクセスポイント、３０…無線基地局、３１…カバーエリア、４０…外部ストレージ、５０…ホームネットワーク、６０…広域通信網
【図１】
0005957826.tif 000002
【図２】
0005957826.tif 000003
【図３】
0005957826.tif 000004
【図４】
0005957826.tif 000005
【図５】
0005957826.tif 000006
【図６】
0005957826.tif 000007